【事件の表示】
　平成１１年特許願第　６５３４６号「自動取引装置」拒絶査定不服審判事件〔平成１２年　９月２２日出願公開、特開２０００−２５９８９３〕について、次のとおり審決する。
【結　論】
　本件審判の請求は、成り立たない。
【理　由】
１．手続の経緯
　本願は、平成１１年３月１１日の出願であって、平成１７年３月３１日付け（発送日：同年４月５日）で拒絶査定がなされ、これに対し、同年４月２８日に審判請求がなされるとともに、同年５月２４日に手続補正がなされたものである。
　
２．平成１７年５月２４日付け手続補正についての補正却下の決定
　
［補正却下の決定の結論］
　平成１７年５月２４日付け手続補正を却下する。　
　
［理由］
（１）補正後の請求項１に記載された発明
　本件補正により、特許請求の範囲の請求項１は、次のとおりに補正された。
　
　「タッチパネルで顧客が選択する複数の入力項目を表示し、所望の入力項目が選択されると、当該入力項目に割り当てられた取引処理を行なう自動取引装置において、タッチパネル上の何れかの入力項目が指で押下されると、当該入力項目を認識できるように入力項目の表示色を変化させ、タッチパネルに指を触れたまま指を移動して他の入力項目が押下されると、その都度当該入力項目の表示色を変化させ、タッチパネルから指を離すと、その時点まで押下されていた入力項目を選択された有効な入力項目とし、該有効となった入力項目の表示色を更に変化させて取引処理を行なうことを特徴とする自動取引装置。」
　
　上記補正は、請求項１に記載した発明を特定するために必要な事項である「入力項目を認識できるように顧客に報知し」を「入力項目の表示色を変化させ」と具体的に限定し、また、「取引処理を行う」に「有効となった入力項目の表示色を更に変化させて」との限定を付加するものであって、特許法第１７条の２第４項第２号の特許請求の範囲の減縮を目的とするものに該当する。
　
　そこで、本件補正後の請求項１に記載された発明（以下、「本願補正発明」という。）が特許出願の際に独立して特許を受けることができるものであるか（特許法第１７条の２第５項で準用する同法第１２６条第５項の規定に適合するか）について以下に検討する。
　
（２）引用例及び周知例
ア．原査定の拒絶の理由に引用した特開平８−３０５９２７号公報（以下、「引用例１」という。）には、図面とともに次の記載がある。
　
・「【０００１】【産業上の利用分野】本発明は、現金自動取引装置（以下ＡＴＭと記す）及び現金自動支払装置（以下ＣＤと記す）を含む自動取引装置の取引集積情報、すなわち、顧客個人の行なった各種取引に係る特定期間の集計取引情報の照会に係り、特に顧客に対する実用性とサービス性の向上に好適な自動取引装置及び取引システムに関する。」
　
・「【０００６】【実施例】本発明は各種の自動取引装置に適用可能であるが、設置台数の多い現金自動支払装置（ＣＤ）に適用した場合について以下、その一実施例を図１〜図７に基づいて詳述する。図１は、本発明に係るＣＤの制御構成を示す制御ブロック図である。図１において、１はＣＤの装置本体、２は入力操作と入力の誘導指示を行なうキ−を画面表示した表示部である。表示部２は、ＣＲＴまたは液晶が形成されタッチパネルと呼称する画面に表示されたイラストキ−を指触し、光ビ−ムを遮断することによりこの遮断部位を識別検出し、指触による入力情報を電気信号に替えて送信するタッチスクリ−ンから構成される操作部３を備えている。」
　
・「【０００９】Ｓ２７：顧客により希望する表示項目のキーが押下される。押下した際、キーの明暗反転や色表示を行なって識別できるようになっている。キー入力の誤操作の場合は取消キーを押下する。最初のキー入力ののち、２回目のキーが入力されるまで時間監視し、一定時間を超えた場合には、１回目のキー入力のみと判定される。１回目の入力のあと、確認キーを押下した場合は１回のみの入力と判定される。２回の入力時には、確認キーの押下を時間監視しながら待機する。タイムアウトとなる時は２回の入力と判定される。表示項目が３項目の場合も上記と同様の制御を行なっている。確認キーの押下により、制御部８は記憶部９に押下された表示項目に対応させ、予め設定されている表示項目コード（具体的な内容、図示は記載を省略）を記憶させる。」
　
　これらの記載及び図面を参照すると、引用例１には次の発明が記載されている（以下、「引用例１発明」という。）。
　
　「タッチパネルで顧客が選択する複数の入力項目を表示し、所望の入力項目が選択されると、当該入力項目に割り当てられた取引処理を行なう自動取引装置において、タッチパネル上の何れかの入力項目が指で押下されると、当該入力項目を認識できるように入力項目の表示色を変化させる自動取引装置」
　
　なお、このような自動取引装置は、従来周知のものといえる。
　
イ．特開平５−１８９１１０号公報（以下、「引用例２」という。）には、図面とともに次の記載がある。
　
・「【要約】【目的】  数値制御装置等のデータ入力に用いられる入力装置において、フレキシブルな対応が可能であり、表示画面を汚すことなく、かつ正確なデータ入力を可能とする。
【構成】  表示画面２７ａ上の各表示領域Ａ〜Ｔには、入力データ、例えば数値制御装置の動作前に予め入力しておくパラメータ、ピッチ誤差補正量および工具補正量等が表示される。オペレータが指４０により、タッチパネル２８の接触領域ｇを軽く押した場合には、それに対応する表示領域Ｇが他の領域と異なる色、例えば他の領域が白であるとすれば領域Ｇのみが青色等で表示される。オペレータは、この表示領域Ｇの入力データを選択したい場合には、接触領域ｇを強く押す。これにより、表示領域Ｇが例えば赤色表示される。」
　
・「【０００１】【産業上の利用分野】本発明はデータを入力するための入力装置に関し、特に数値制御装置等のデータ入力に用いられる入力装置に関する。」
　
・「【００１０】操作盤２５は、グラフィック制御回路２６、表示装置２７、タッチパネル２８、およびキーボード２９から構成されている。グラフィック制御回路２６は、ディジタル信号を表示用の信号に変換し表示装置２７に送る。表示装置２７にはＣＲＴあるいは液晶表示装置が使用され、各軸の位置表示、入出力信号の状態、パラメータ等が表示される。また、表示装置２７には、タッチパネル２８によって入力を行うための入力データ等が表示される。」
　
・「【００１１】タッチパネル２８は表示装置２７の表示内容に応じてフレキシブルに対応できる入力装置であり、画面上で表示される選択メニュー等を選択して、データ入力や工作機械３１の操作に使用される。このタッチパネル２８で操作しにくいデータ入力あるいは工作機械３１の操作は、キーボード２９により行われる。」
　
・「【００２２】オペレータは、この表示領域Ｇの入力データを選択したい場合には、接触領域ｇを強く押す。これにより、表示領域Ｇが例えば赤色表示される。そして、この入力データが確定され、プロセッサ２１で処理される。入力したいデータが表示領域Ｇの入力データではなく、例えば表示領域Ｈのデータであるとすると、オペレータは指４０を接触部２８ａに触れたまま表示領域Ｈの方向に移動させる。すると、図６に示すように、指４０の移動につれて青色表示されている部分も移動する。この青色表示の部分が表示領域Ｈに来たところで、指４０を強く押すことにより、表示領域Ｈが赤色表示される。そして、この入力データが確定され、プロセッサ２１で処理される。
　
ウ．特開昭６１−１３１１１１号公報（以下、「周知例１」という。）には、図面とともに次の記載がある。
　
・「本発明は、指示入力制御方式に係り、特にタッチセンサ等の座標検出センサを用いた指示入力装置における誤入力を防止することが可能となる指示入力制御方式に関する。」（第１頁左下欄第２０行ー右下欄第３行）
　
・「［問題点を解決するための手段］
　本発明は上述した問題点を解決すべく、正しい位置の指示が可能となる指示入力制御方式を提供しようとするものである。
　そしてその為に、従来の如く最初に指示（タッチ）された位置を入力位置として装置側で認識する方式に替えて、入力指示がなくなった（つまり指などによるタッチがなくなった）位置を、正規の指示位置として検出するよう構成したものである。
［作　用］
　つまり、オペレータからすれば、一旦指示入力を行った状態で、その指示位置の正否を確認する。そして、今指示している位置が間違っていれば、オペレータは指示（タッチ）した状態のままで正規の位置に指示位置を移動（スライド）させる。そして自己の希望する項目に達すれば、指示入力をやめる（指を離す）ように操作する。これにより、最初にタッチした位置が誤まっていた場合でも、このタッチ位置をスライドさせることによって、正規位置への位置決めが可能となる。」（第２頁左上欄第１３行−右上欄第１３行）
　
・「以上の構成における動作を説明すると、オペレータは、自己の入力したい項目が表示される位置をタッチする。例えば項目ｂを入力するため、当該項目ｂの表示位置に対応した位置をタッチする。
　このタッチ動作は検出部３１によって検出され、算出部３３により、そのタッチ位置アドレスが算出される。そして記憶部３４及び認識部１２を介して、タッチされている位置に対応したディスプレイ１上の項目がブリンク或いは反転表示される。
　尚この時、指離れ検出部３５は、オペレータのタッチ位置アドレスが算出部３３より発せられているため、指離れ検出出力を発しない。
一方、オペレータは、ディスプレイ１上のブリック或いは反転表示される項目を見て、自己の入力したい項目が正しくブリンク（反転）しているかを確かめる。この場合、ディスプレイ１上の項目ｂがブリンク（反転）していれば、正規の入力項目と判断して、指を離す。
　ところが、タッチ位置のずれにより、ディスプレイ上では項目ａがブリンクしているとする。するとオペレータは、パネル２に指を触れたまま、自己の望む入力項目である項目ｂの方向へ指をずらす。
　この指の移動により、タッチ位置算出部３３によるタッチ検出位置が変化することになる。従って記憶部３４を介した認識部１２によるタッチ位置（項目）の認識が項目ａから項目ｂに変わる。
　つまり、オペレータの指のシフトにより、ブリンクする項目がａからｂの位置に変わる。
　オペレータは、項目ｂがブリンクしたことを確認して指を離すことになる。
　一方、シフト制御部３６によって、オペレータの指のシフトによるタッチ位置の変化は、更新部３７上に書込まれている。
　オペレータが指を離すと、前述した如く指離れ検出部３５がこれを検出する。
　この検出出力により、更新部３７に保持されている指離れ検出直前のタッチ位置情報が入力制御部３０に読取られる。そして入力制御部３０は、図示しない処理部等にオペレータの入力データ、即ちタッチ位置に応じた項目データ（この場合項目ｂに定義されているデータ）を通知することになる。」（第３頁左上欄第１４行−左下欄第１６行）
　
エ．特開平５−３２４２０２号公報（以下、「周知例２」という。）には、図面とともに次の記載がある。
　
・「【０００１】【産業上の利用分野】本発明は、原子力発電所等のプラント運転／監視用に用いられるＣＲＴ表示装置に関し、特に、前記ＣＲＴ表示装置の表示画面の表面に取り付けられたタッチパネルへのタッチ動作によりプラント機器の操作を選択することの可能なタッチパネル装置及びそのタッチパネルのタッチ操作処理方法に関する。」
　
・「【００２３】続いて、図６及び図７により、上記本タッチパネル装置における画面表示例及びその操作方法の一例について以下に説明する。まず、図６には、ＣＲＴ表示装置３の表示画面上に表示されたプラントの系統図の一例が示されている。この系統図の様に、本発明のタッチパネル装置では、ホストコンピュータ５のデータベース部５２において、操作機器Ａ，Ｂ，Ｃ，Ｄに対してそれぞれの有効エリアＡ，エリアＢ，エリアＣ，エリアＤが予め定義されている（但し、表示画面上にはエリアを示す点線は表示されない）。そこで、例えば、オペレ−タによるタッチ操作が、点１で開始され、その後、オペレータは指をタッチパネル１上でスライドさせながら点２を経由し、そして、点３にて終了した場合についてを述べる。」
　
・「【００２４】すなわち、オペレ−タにより点１がタッチされると、エリアＣの表示色が変化する。例えば背景色が灰色である場合、このエリアＣを例えば緑色に変化させて識別表示し、もって、オペレ−タに対しエリアＣをタッチ中であることを認識可能とする。さらに、画面中のエリアＥには、操作ガイダンスとして、例えば「バルブＣ指定中です」等のメッセ−ジを表示する。このことにより、オペレ−タに対して指定中の機器名称の認識も可能とすることが出来る。尚、この識別表示はオペレ−タの指がタッチパネルから離れるか、又は指をスライドさせてエリアＣ外の座標位置をタッチするまで継続される。」
　
・「【００２５】次に、図の表示画面中の点２をタッチ中の画面表示については、例えば「無効エリアタッチ中には、最も隣接した有効エリアをブリンク表示する」というル−ルを上記データベース部５２に予め登録しておくことにより、エリアＢをブリンク表示により識別表示すると共に、エリアＥには、「無効エリアタッチ中です。最も近くの有効エリアはポンプＢのエリアです。」といったメッセ−ジを表示することにより、オペレ−タに対し有効エリアを認識させることが可能となる。また、予め登録しておくル−ルとしては、前記ル−ル以外にも、既に選択された機器、或いは選択された操作により、次のタッチにより選択されるであろうエリアを予測し、この予測されたエリアをブリンク等で識別表示させる方法等も可能である。」
　
・「【００２６】次に、図の点３におけるタッチ終了時の画面表示としては、エリアＤの色替えがキャンセルされ、エリアＥには「バルブＤが指定されました。」といったメッセ−ジを表示することにより、指定機器の認識が可能となる。」
　
オ．特開平９−８１３２０号公報（以下、「周知例３」という。）には、図面とともに次の記載がある。
　
・「【０００１】【産業上の利用分野】本発明は、画面に表示された複数のデータ項目からオペレータが所望するデータ項目をペンを用いて選択することによりデータを入力する対話型のペン入力式選択入力装置及びその方法に関する。」
　
・「【００５８】図８は、本装置において文字入力した場合の文字指定領域５０３での表示例を示す図である。図８（ａ）は非選択状態の初期表示を示す。「あ」に対応する図形だけは代表図形として正規のサイズで表示されているが、「い」から「お」までは、暗黙時サイズは注目時サイズの半分の大きさになっている。この状態でペン１０９が「い」に対応する箇所に触れると、図６（ｂ）で説明したようにタッチ状態の変化が検出され、図６（ａ）の通り、まずタッチ領域の判定が行われると、文字指定領域５０３であることがわかるので、図７の文字指定入力処理が行われる。」
　
・「【００５９】タッチ図形は「い」に対応する箇所であり、タッチ状態の変化はＯｆｆ→Ｏｎであるので、新規にタッチ状態になった「い」の文字に対応する図形領域が、暗黙時表示領域記憶部３０５と対応した暗黙時表示領域から、注目時表示領域記憶部３０６と対応した注目時表示領域に変化し、初期注目コード指示フィールド３１３で指定される文字「い」と対応する文字コードを表示状態表示である網掛け属性を付けて表示するので、図８（ｂ）の状態に変化する。さらに、この状態から、ペンを右にずらし、文字「う」と対応する領域に移動すると、再び図６（ｂ）でのタッチ状態変化検出が行われ、同様の手順で図６（ｃ）の画面に表示状態が変化する。」
　
・「【００６３】このように、本装置によれば、暗黙時表示領域の大きさを注目時表示図形よりも小さくすることで、同時に表示する必要のある仮想キーボード領域全体の面積を小さくすることができ、ペン先の移動距離が少ない効率的な選択入力することが可能となった。また、本装置によれば、ペンを押下した状態で移動させるとそれに応動して、対応キー表示を変え、ペンをタブレットから離すタイミングで確定することにより、ペンダウン時に文字確定する場合に比べて、微妙なペン先の制御が可能となり正確なキー指定を行うことができる。」
　
（３）対比
　本願補正発明と上記引用例１発明とを比較すると、両者は、「タッチパネルで顧客が選択する複数の入力項目を表示し、所望の入力項目が選択されると、当該入力項目に割り当てられた取引処理を行なう自動取引装置において、タッチパネル上の何れかの入力項目が指で押下されると、当該入力項目を認識できるように入力項目の表示色を変化させる自動取引装置」の点で一致し、次の点で相違する。
　
　［相違点］
　本願補正発明では、「タッチパネル上の何れかの入力項目が指で押下されると、当該入力項目を認識できるように入力項目の表示色を変化させ、タッチパネルに指を触れたまま指を移動して他の入力項目が押下されると、その都度当該入力項目の表示色を変化させ、タッチパネルから指を離すと、その時点まで押下されていた入力項目を選択された有効な入力項目とし、該有効となった入力項目の表示色を更に変化させて取引処理を行なう」のに対して、引用例１発明では、単に、タッチパネル上の何れかの入力項目が指で押下されると、当該入力項目を認識できるように入力項目の表示色を変化させる点。
　
（４）相違点についての判断
　本願の拒絶査定の備考欄に記載したように、タッチパネル装置において「タッチパネル上の何れかの入力項目が指等で押下されると、当該入力項目を認識できるように入力項目の表示色等を変化させ、タッチパネルに指等を触れたまま指等を移動して他の入力項目が押下されると、その都度当該入力項目の表示色等を変化させ、タッチパネルから指等を離すと、その時点まで押下されていた入力項目を選択された有効な入力項目として取引処理を行なう」ことは従来周知である（上記周知例１ないし３を参照）。
　
　また、上記引用例２には、タッチパネル装置において「有効となった入力項目の表示色を更に変化させ」る点が記載されている（第００２２段落）。
　
　したがって、上記相違点に係る本願補正発明の構成は、当業者が容易に想到し得たものである。
　
　そして、本願補正発明の作用効果も、引用例１、引用例２に記載された事項、及び従来周知の技術から当業者が予測できた範囲内のものである。
　
　したがって、本願補正発明は、引用例１、引用例２に記載された発明、及び、従来周知の技術に基づいて、当業者が容易に発明をすることができたものであるから、特許法第２９条第２項の規定により特許出願の際に独立して特許を受けることができない。
　
（５）むすび
　以上のとおり、本件補正は、特許法第１７条の２第５項で準用する同法第１２６条第５項の規定に違反するものであり、特許法第１５９条第１項で読み替えて準用する特許法第５３条第１項の規定により却下すべきものである。
　
３．本願発明について
（１）本願発明
　平成１７年５月２４日付けの手続補正は上記のとおり却下されたので、本願の請求項１に係る発明（以下、「本願発明」という。）は、平成１６年１０月２５日付け手続補正書の特許請求の範囲の請求項１に記載されたとおりの次のものである。
　
　「タッチパネルで顧客が選択する複数の入力項目を表示し、所望の入力項目が選択されると、当該入力項目に割り当てられた取引処理を行う自動取引装置において、タッチパネル上の何れかの入力項目が指で押下されると、当該入力項目を認識できるように顧客に報知し、タッチパネルに指を触れたまま指を移動して他の入力項目が押下されると、その都度当該入力項目を認識できるように顧客に報知し、タッチパネルから指を離すと、その時点まで押下されていた入力項目を選択された有効な入力項目として取引処理を行うことを特徴とする自動取引装置。」
　
（２）引用例
　原査定の拒絶の理由に引用した引用例、及びその記載事項は前記「２．（２）」に記載したとおりである。
　
（３）対比・判断
　本願発明は、前記２．で検討した本願補正発明において、「入力項目の表示色を変化させ」を「入力項目を認識できるように顧客に報知し」と上位概念化し、また、「取引処理を行う」に際して「有効となった入力項目の表示色を更に変化させて」との限定を省いたものである。
　
　そうすると、本願補正発明が、前記「２．（４）」に記載したとおり、引用例１、引用例２に記載された発明、及び、従来周知の技術に基づいて、当業者が容易に発明をすることができたものであるから、本願発明は、同様の理由により、引用例１に記載された発明、及び、従来周知の技術に基づいて、当業者が容易に発明をすることができたものである。
　
（４）むすび
　以上のとおり、本願発明は、引用例１に記載された発明、及び、従来周知の技術に基づいて、当業者が容易に発明をすることができたものであるから、特許法第２９条第２項の規定により特許を受けることができない。
　
　よって、結論のとおり審決する。